(57)【特許請求の範囲】
【請求項１】
ホッパ本体の上端開口面積を少なくとも１以上に分割した大きさの篩枠を所定数備え、該篩枠には所定サイズの網目の篩網を張設し、篩枠振動用のバイブレータを固定すると共に、篩枠の略四隅の下部に篩枠を支持する車輪を取り付け、かつホッパ本体の上部開口部には前記篩枠を進退自在に案内するガイドレールを配設して篩枠をホッパ本体に対して着脱可能とすると共に、ホッパ本体にはガイドレール上に載置した前記篩枠を締結固定する固定クランプを配設したことを特徴とする篩付きホッパ装置。
【請求項２】
前記篩網を支持する車輪をゴム製とすると共に、篩枠とホッパ本体との当接面には防振用の緩衝材を取り付けたことを特徴とする請求項１記載の篩付きホッパ装置。
【請求項３】
前記ホッパ本体の排出部の上位には送り羽根を取り付けた軸体を回転自在に支持し、駆動モータにより回転させて貯留物のアーチングを防止するアーチングブレーカーを備えたことを特徴とする請求項１または２記載の篩付きホッパ装置。
【発明の詳細な説明】
【技術分野】
【０００１】
本発明は、砂等の骨材、その他の粒体や粉体などの各種材料を篩いながら一旦貯留した後に払い出すホッパ装置に関し、特に材料の投入時に篩によって異物の除去や材料の粒度調整を行う篩付きホッパ装置に関する。
【背景技術】
【０００２】
例えば、新しい鋳造技術として減圧凍結鋳型鋳造法なるものがあり、鋳物砂に水を混ぜて型枠に込め、減圧凍結させて鋳型を作り、この鋳型に溶鋼を流し込めば鋳型が自然に崩れて型ばらしができ、この型ばらし後の鋳物砂を元の砂粒状態へと戻して鋳物砂として再利用する鋳造法が提案されている。この鋳造法においては、型ばらし後の鋳物砂を篩って砂粒状態へと戻し、ホッパに一旦貯蔵してから次工程へと送り出す篩付きのホッパ装置がシステム構築時の一装置として必要となる。
【０００３】
ところで、篩付きのホッパ装置としては、ホッパ本体上に緩衝装置を介して振動付きのグリズリなどの篩を配設したものなどが種々提案されている。
【特許文献１】実開平５−７０６７６号公報
【特許文献２】実登録３００００７６号公報
【発明の開示】
【発明が解決しようとする課題】
【０００４】
しかしながら、篩付きのホッパ装置においては、篩網の目詰まりや摩耗が生じるために定期的な清掃や張り替えといったメンテナンス作業を要するが、上記従来装置では篩網が簡単に着脱できる構造となっておらず、作業が手間取るものであった。
【０００５】
本発明は上記の点に鑑み、篩網等のメンテナンス性に優れた篩付きホッパ装置を提供することを課題とする。
【課題を解決するための手段】
【０００６】
上記課題を解決するために、本発明に係る請求項１記載の篩付きホッパ装置は、ホッパ本体の上端開口面積を少なくとも１以上に分割した大きさの篩枠を所定数備え、該篩枠には所定サイズの網目の篩網を張設し、篩枠振動用のバイブレータを固定すると共に、篩枠の略四隅の下部に篩枠を支持する車輪を取り付け、かつホッパ本体の上部開口部には前記篩枠を進退自在に案内するガイドレールを配設して篩枠をホッパ本体に対して着脱可能とすると共に、ホッパ本体にはガイドレール上に載置した前記篩枠を締結固定する固定クランプを配設したことを特徴としている。
【０００７】
また、請求項２記載の篩付きホッパ装置は、前記篩網を支持する車輪をゴム製とすると共に、篩枠とホッパ本体との当接面には防振用の緩衝材を取り付けたことを特徴としている。
【０００８】
また、請求項３記載の篩付きホッパ装置は、前記ホッパ本体の排出部の上位には送り羽根を取り付けた軸体を回転自在に支持し、駆動モータにより回転させて貯留物のアーチングを防止するアーチングブレーカーを備えたことを特徴としている。
【発明の効果】
【０００９】
本発明に係る請求項１記載の篩付きホッパ装置によれば、ホッパ本体の上端開口面積を少なくとも１以上に分割した大きさの篩枠を所定数備え、該篩枠には所定サイズの網目の篩網を張設し、篩枠振動用のバイブレータを固定すると共に、篩枠の略四隅の下部に篩枠を支持する車輪を取り付け、かつホッパ本体の上部開口部には前記篩枠を進退自在に案内するガイドレールを配設して篩枠をホッパ本体に対して着脱可能とすると共に、ホッパ本体にはガイドレール上に載置した前記篩枠を締結固定する固定クランプを配設したので、篩枠は取り扱いに適した大きさにでき、かつスライド収納式なっていて簡単に着脱可能であり、篩網の清掃や張り替え作業を効率よく行うことができてメンテナンス性に優れたものとなる。
【００１０】
また、本発明に係る請求項２記載の篩付きホッパ装置によれば、篩網を支持する車輪をゴム製とすると共に、篩枠とホッパ本体との当接面には防振用の緩衝材を取り付けたので、篩枠に固定したバイブレータからの振動をホッパ本体側へ極力伝わらないようにでき、篩効率を低下させることなく、またホッパ装置の故障や騒音などの発生を抑制できる。
【００１１】
また、本発明に係る請求項３記載の篩付きホッパ装置によれば、ホッパ本体の排出部の上位には送り羽根を取り付けた軸体を回転自在に支持し、駆動モータにより回転させて貯留物のアーチングを防止するアーチングブレーカーを備えたので、アーチングを極力防止できてメンテナンス性に優れたものとなる。
【発明を実施するための最良の形態】
【００１２】
本発明に係る請求項１記載の篩付きホッパ装置にあっては、ホッパ本体の上端開口面積を少なくとも１以上に分割した大きさの篩枠を所定数備えるもので、ホッパ本体が大容量のものであれば、篩枠を容易に着脱できるように、例えば、ホッパ本体の上端開口面積を４分割した大きさの篩枠を用意し、これを４個使用する。なお、ホッパ本体が小容量のものであれば、篩枠を分割せずに１個の使用となる。この篩枠には所定サイズの網目の篩網を張設すると共に、篩枠振動用のバイブレータを篩枠の側面に固定し、更に篩枠の略四隅の下部に篩枠を支持する車輪を取り付ける。なお、車輪は篩枠の略四隅としたが、取り付け箇所や個数は適宜変更しても良い。
【００１３】
ホッパ本体の上部開口部には前記篩枠をスライド収納とするために進退自在に案内するガイドレールを適宜配設し、篩枠をホッパ本体に対して着脱可能とする。また、ホッパ本体には篩枠を締結固定する固定クランプを配設し、篩枠の車輪をガイドレール上に載置してそれぞれの篩枠を所定の篩位置に位置させてから前記クランプにて締結固定する。これによって、ホッパ本体の上部開口の全面に篩が張りつめられた状態となる。
【００１４】
このように、篩枠は取り扱いに適した大きさとし、ホッパ本体の上部開口部に配設したガイドレール上に篩枠を支持する車輪を載置した状態とすれば、作業者が篩枠を手でもってガイドレールに沿って前後に容易にスライド可能で、簡単に着脱が行え、篩網の清掃や張り替え作業を効率よく行うことができてメンテナンス性に優れたものとなる。
【００１５】
本発明に係る請求項２記載の篩付きホッパ装置にあっては、篩網を支持する車輪をゴム製とする。また、ホッパ本体の上面開口部に所定数の篩枠を並べて固定クランプにて締結固定したときに、篩枠とホッパ本体との当接面には防振用の緩衝材が介在するように、篩枠またはホッパ本体のいずれかにゴム等の緩衝材を取り付ける。
【００１６】
このように、篩枠とホッパ本体の当接箇所にゴム製車輪や緩衝材を介在させたので、篩枠に固定したバイブレータからの振動がホッパ本体側へ極力伝わらず、篩効率の低下やホッパ装置の故障や騒音などの発生も抑制できる。
【００１７】
本発明に係る請求項３記載の篩付きホッパ装置にあっては、ホッパ本体内の貯留物のアーチングを防止するアーチングブレーカーを備える。このアーチングブレーカーは、ホッパ本体の排出部の上位に送り羽根を取り付けた軸体をホッパ本体の左右側壁面に備えた軸受にて回転自在に支持し、該軸体の一端部に固着したスプロケットと、その近傍に備えた駆動モータの駆動スプロケットとをチェーンにて巻回し、駆動モータの駆動制御により所定速度にて軸体を正逆回転可能とする。
【００１８】
このように、軸体に周設した送り羽根を正転または逆転させてその周囲に留まっている貯留物を撹拌させることによってアーチングが起きても容易にばらばらに崩せるようにしたので、アーチングを極力防止できてメンテナンス性に優れたものとなる。
【実施例１】
【００１９】
以下、本発明の一実施例を図面に基づいて説明する。
【００２０】
図中の１は、例えば、鋳物砂を篩って砂粒状態へと戻してから一旦貯留して所望に応じて順次払い出す篩付きホッパ装置であって、ホッパ本体２を架台３にて支持し、ホッパ本体２の上端部には開口した投入口４を有し、ホッパ本体２の下端部には貯留物を順次払い出すスクリューコンベヤ５を配設している。
【００２１】
ホッパ本体の排出部の上位には、ホッパ本体２内に貯留した貯留物のアーチングを防止するアーチングブレーカー６を配設している。アーチングブレーカー６は、ホッパ本体２の左右側壁面に備えた軸受７にて軸体８を回動自在に軸支すると共に、該軸体８の一端部に固着したスプロケット９と、その近傍に備えた駆動モータ１０の駆動スプロケット１１とをチェーン１２にて巻回し、駆動モータ１０の駆動制御により所定速度にて軸体８を正逆回転可能としている。また、前記軸体８の周面には適宜間隔で螺旋配置にて送り羽根１３を周設しており、軸体８の正逆回転によって貯留物を適宜方向へ撹拌しながら送り出し、アーチングを起こすことのないように、またアーチングが起きても容易にばらばらに崩せるようにしている。なお、このアーチングブレーカー６はスクリュー５の基端部近くに配設することが好ましい。
【００２２】
また、ホッパ本体２の投入口４には、その開口部全面を覆うように比較的大きめの網目サイズ、本実施例においては５０ｍｍ口径の網目サイズのグリズリ１４を備えており、このグリズリ１４によって鋳物砂中に混入している比較的大きな金属片などの異物や、解砕不十分な大きめの塊状物などをに取り除けるようにしている。更に、ホッパ本体２のグリズリ１４の下位には後述する篩枠をスライド収納するためのガイドレール１５を適宜配置している。
【００２３】
１６は前記ガイドレール１５上に載置する篩枠であって、略方形の枠体１７に篩網１８が張設してあり、例えば、砂回収のときには５ｍｍ口径の網目サイズの篩網を使用する。この篩枠１６は、メンテナンス時の着脱が容易なように、ホッパ本体２の上端開口面積を少なくとも１以上に分割した取り扱いやすい大きさとすると良く、図示例ではホッパ本体２の上端部開口サイズが２ｍ×２ｍ程度の大きさなので、４分割した１ｍ×１ｍ程度大きさの篩枠１６を４個使用している。
【００２４】
前記篩枠１６の略四隅の下部には車輪１９、好ましくは篩の振動を吸収するゴム製の車輪を回転自在に軸着すると共に、進退操作用の取っ手２０を取り付けている。また、篩枠１６の取っ手２０を取り付けた側面側には篩枠１６に振動を付与するバイブレータ２１を固定している。
【００２５】
また、篩枠１６の前後両端部には防振用のゴム製の緩衝材２２、２２´を固着しており、篩枠１６をガイドレール１５に沿わせてホッパ本体２内にスライド収納させたときに、篩枠１６の枠体１７とホッパ本体２との当接部に緩衝材２２、２２´を介在させ、バイブレータ２１からの振動がホッパ本体２にまで極力伝わらないようにしている。
【００２６】
一方、ホッパ本体２の上端開口の略中央部には、前記ガイドレール１５に沿ってスライド収納する篩枠１６の前端部のゴム製緩衝材２２を当接させる当板２３を配設すると共に、ホッパ本体２にはワンタッチ操作で篩枠１６を締結固定または解除する固定クランプ２４を配設し、前記当板２３に篩枠１６前端部のゴム製緩衝材２２を当接させつつ、篩枠１６後端部のゴム製緩衝材２２´を前記固定クランプ２４でホッパ内方側へ押圧して押し潰すようにして篩枠１６をホッパ本体２に固定するようにしている。
【００２７】
次に、上記篩付きホッパ装置１の取り扱いについて説明する。型ばらし後の鋳物砂を篩って砂粒状態へと戻して貯留させるときには、先ず、篩枠１６のバイブレータ２１を駆動させて篩枠１６を振動させながら、型ばらし後の鋳物砂をホッパ本体２のグリズリ１４上に払い出す。グリズリ１４によって鋳物砂中に混入している比較的大きめの、例えば金属片などの異物や、解砕不十分な大きめの塊状物などは取り除かれていく。
【００２８】
次いで、このグリズリ１４を通過した鋳物砂は、その下段に位置する篩枠１６の篩網１８上に落下し、バイブレータ２１による振動によって篩われて砂粒状態となってホッパ本体２内へと落下していき、再利用可能な状態となって回収される。このとき、バイブレータ２１による篩枠１６の振動は、篩枠１６に固着したゴム製の緩衝材２２、２２´、及びゴム製の車輪１９にてその大部分が吸収されてホッパ本体２への振動伝達は少ない。
【００２９】
そして、ホッパ本体２内に貯留された貯留物は、アーチングブレーカー６の送り羽根１３を周設した軸体８を駆動モータ１０にて正転または逆転させながらスクリューコンベヤ５にて排出される。
【００３０】
一方、篩枠１６の篩網１８に目詰まりや摩耗が生じて篩枠１６を取り外すときには、先ず、篩枠１６をホッパ本体２に締結固定させている固定クランプ２４の固定を解除し、篩枠１６の取っ手２０を把持し、図２及び図３の矢印で示す手前に引けば、篩枠１６はガイドレール１５に沿ってスムーズに引き出すことができる。
【００３１】
そして、取り外した篩枠１６は、地上の作業しやすい場所に置いて目詰まり除去といった清掃作業や、損耗した篩網１８の張り替え作業などを行う。また、このメンテナンス作業を終えると、上記手順とは逆の手順にて篩枠１６をホッパ本体２内にスライド収納し、固定クランプ２４にて締結固定する。
【００３２】
このように、篩枠１６は取り扱いに適した大きさに適宜分割され、かつスライド収納式となっているので、上位にグリズリ１４が配設されていても簡単に着脱可能であり、篩網の清掃や張り替えなどのメンテナンス作業を効率よく行うことができる。
【図面の簡単な説明】
【００３３】
【図１】本発明に係る篩付きホッパ装置の一実施例を示す正面図である。
【図２】図１の側面図である。
【図３】図１の一部切り欠き平面図である。
【符号の説明】
【００３４】
１…篩付きホッパ装置                ２…ホッパ本体
５…スクリューコンベヤ              ６…アーチングブレーカー
１４…グリズリ                      １５…ガイドレール
１６…篩枠                          １７…枠体
１８…篩網                          １９…ゴム製車輪
２１…バイブレータ                  ２２、２２´…緩衝材
２３…当板                          ２４…固定クランプ
【図１】
0004812084.tif 000002
【図２】
0004812084.tif 000003
【図３】
0004812084.tif 000004